(57)【要約】【課題】  例えば不在配達の郵便物を検索する場合に、その郵便物の位置を特定することができる物品検索システムを提供すること。【解決手段】  物品に検索用ＩＤが記憶された無線タグ１１を貼り付けて、各物品が重なり合うようにして保管しておき、無線タグリーダ１２から重なり合うように保管されている物品に対して無線電波を出力し、検索用ＩＤが記憶された無線タグが貼り付けられた物品が存在する場合には、無線タグ１１あるいは無線タグリーダ１２から音あるいは光によりその位置を知らせるようにしたことを特徴とする。【選択図】      図１
2006024018.tif 000002
【特許請求の範囲】
【請求項１】
物品に検索用ＩＤが記憶された無線タグを貼り付けて、各物品が重なり合うようにして保管しておき、無線タグリーダから重なり合うように保管されている物品に対して無線電波を出力し、検索用ＩＤが記憶された無線タグが貼り付けられた物品が存在する場合には、無線タグあるいは無線タグリーダから音あるいは光によりその位置を知らせるようにしたことを特徴とする物品検索システム。
【請求項２】
前記無線タグは前記物品を挟むように貼り付けられており、物品の側面方向から見える位置に発光素子が取り付けられていることを特徴とする請求項１記載の物品検索システム。
【請求項３】
底部が階段状に形成され、各段部に無線タグが貼り付けられた各物品の無線タグが見えるように重なり合って収納可能なことを特徴とする物品収納ケース。
【発明の詳細な説明】
【技術分野】
【０００１】
本発明は、郵便局に持ち戻った例えば記録扱い郵便物のような物品を無線タグを利用して検索する物品検索システムに関する。
【背景技術】
【０００２】
郵便物の一つに記録扱い郵便物がある。この記録扱い郵便物は、受取人が不在の場合には郵便局に戻されて保管される。そして後で、受取人が郵便局に出向いたときに、所定の本人確認を行った後に受取人に手渡される。ところで、郵便局に戻された郵便物は所定の棚に収納されて保管されている。このため、受取人が持参した不在配達票に記載されているお知らせ番号をキーとして局員が棚から該当する郵便物を手作業により検索していた。
【０００３】
なお、ＲＦＩＤ（Radio Frequency Identification）タグが添付された物品を検索する際に、目的とするＲＦＩＤタグの方向を光の指し示す方向で、存在する方向を確認することができる物品検索装置が知られている（例えば、特許文献１参照）。
【特許文献１】特開２００２−２７１２２９
【発明の開示】
【発明が解決しようとする課題】
【０００４】
このように郵便局員が手作業により不在配達の郵便物を検索していたため、その作業に時間がかかるという問題があった。
【０００５】
本発明は上記の点に鑑みてなされたもので、その目的は、例えば不在配達の郵便物を検索する場合に、その郵便物の位置を特定することができる物品検索システム及び物品収納ケースを提供することにある。
【課題を解決するための手段】
【０００６】
本発明は、物品に検索用ＩＤが記憶された無線タグを貼り付けて、各物品が重なり合うようにして保管しておき、無線タグリーダから重なり合うように保管されている物品に対して無線電波を出力し、検索用ＩＤが記憶された無線タグが貼り付けられた物品が存在する場合には、無線タグあるいは無線タグリーダから音あるいは光によりその位置を知らせるようにしたことを特徴とする。
【発明の効果】
【０００７】
本発明によれば、無線タグリーダから重なり合うように保管されている物品に対して無線電波を出力し、検索用ＩＤが記憶された無線タグが貼り付けられた物品が存在する場合には、音あるいは光によりその位置を知らせるようにしたので、検索対象の物品が重なり合うように保管されていても検索対象の物品を検索することができる。
【発明を実施するための最良の形態】
【０００８】
以下、図面を参照して本発明の第１の実施の形態について説明する。
【０００９】
まず、図２を参照して無線タグ１１の構成について説明する。図２において、無線タグ１１は、送受信可能なタグアンテナ２１とＬＳＩチップ２２とを基板と一体成形した独立の部品であり、再剥離可能である。タグアンテナ２１は、矩形状に成形されたループコイル等からなる。ＬＳＩチップ２２は、タグアンテナ２１で受信した変調電波の整流と安定化を行うことによりＬＳＩチップ２２の各部に電源を供給する電源生成部２３、上記変調電波を復調して制御部２６へ送信する復調部２４、制御部２６から送信されたデータを変調してタグアンテナ２１に送信する変調部２５、復調部２４で復調されたデータのメモリ２７への書き込みや、メモリ２７から送信データを読み出して変調部２５へ送出する制御部２６及びメモリ２７等で構成されている。なお、制御部２６にはランプ（発光素子）２８及びブザー２９が接続されている。このランプ２８及びブザー２９は検索されている物品であることを知らせるときに、点灯あるいは報音される。また、この制御部２６の動作を図４のフローチャートに示しておく。
【００１０】
また、メモリ２７には、当該無線タグ１３の製造段階で製造業者により割当て設定された固有の無線ＩＤ（ＲＦＩＤ）を記憶する無線ＩＤエリアと、ユーザで任意のデータを書き込むことができるユーザエリアとが形成されている。
【００１１】
次に、無線タグリーダ１２の詳細な構成について説明する。３１は本無線タグリーダ１２を統括して制御する制御部である。この制御部３１から送信されたデータは変調部３２を介して変調されて平面アンテナ３３から出力される。一方、平面アンテナ３３で受信された変調電波は復調部３４を介して復調されて制御部３１に入力される。
【００１２】
なお、３５は各種データを入力する入力部、３６は各種データを表示する表示部である。
【００１３】
次に、上記のように構成された本発明の一実施の形態について説明する。受取人が不在のため郵便局に図１（Ａ）に示す郵便物４１に対して無線タグ１１を貼り付ける処理を行う（図１（Ｃ））。
【００１４】
ここで、無線タグ１１を貼り付ける前に、貼り付ける無線タグ１１のＲＦＩＤを無線タグリーダ１２で読み出す処理を行う（図１（Ｂ））。
【００１５】
そして、郵便物４１にどの無線タグ１１を貼り付けたかをホストコンピュータ５１に登録する作業を行う。受取人が不在の場合には、郵便局員は不在配達票を受取人の所に置いて来る。その不在配達票には、郵便物を特定するためのお知らせ番号が記載されている。また、郵便局員はお知らせ番号が記載された用紙を郵便物に貼り付けて郵便局に持ち戻る。そして、ホストコンピュータ５１に備えられているバーコードリーダ（図示しない）によりその用紙に記載されているお知らせ番号を読み取り、郵便物４１に貼り付けられている無線タグ１１の固有無線ＩＤ（ＲＦＩＤ）を無線タグリーダ１２で読み取り、固有無線ＩＤとお知らせ番号とをホストコンピュータ５１内のメモリに記憶させる処理を行う。このような登録処理が終了した郵便物４１は図１（Ｄ）に示すように重なり合うように保管されている。
【００１６】
次に、受取人が不在配達票を持参して郵便局に郵便物を受け取りに来たときの処理について説明する。
【００１７】
まず、郵便局員は不在配達票に記載されているお知らせ番号をホストコンピュータ５１から入力する。すると、ホストコンピュータ５１は、入力されたお知らせ番号に対応する郵便物に貼り付けられている無線タグ１１の固有無線ＩＤ（ＲＦＩＤ）を前述したメモリから求める。
【００１８】
次に、検索すべき郵便物に貼られている無線タグ１１の固有無線番号（ＲＦＩＤ）が判明すると、このＲＦＩＤを検索用ＩＤとして平面アンテナ３３から郵便物４１に対して問い合わせの無線電波を出力する。
【００１９】
郵便物４１のタグアンテナ２１は受信した変調電波より電力を得て電力を各部に供給する。そして、タグアンテナ２１で受信された変調電波より検索用ＩＤとしてのＲＦＩＤがメモリ２７に記憶されているＲＤＩＤと一致するかを判定している（図４のステップＳ１）。
【００２０】
このステップＳ１において「ＹＥＳ」と判定された場合には、ランプ２８が点灯しブザー２９が報音される。
【００２１】
そして、ランプ２８が点灯しブザー２９が報音された郵便物４１は図１（Ｅ）に示すように選別される。そして、このように選別された郵便物４１の無線タグ１１に記憶されているＲＦＩＤを読み出す処理が行なわれる。そして、このＲＦＩＤはホストコンピュータ５１のメモリから削除する処理が行われる。
【００２２】
次に、郵便物４１から無限タグ１１を剥がす処理が行なわれる（図１（Ｆ））。ここで、無線タグ１１は再剥離可能に構成されているので、簡単に剥離することができる。そして、このようにして剥がされた無線タグ１１は図１（Ｂ）に戻って再利用される。
【００２３】
以上のように、検索すべき郵便物に無線タグを貼り付けて互いに重なり合うように保管している場合でも音と光により検索している郵便物の位置を知らせることができる。
【００２４】
なお、この実施の形態では、無線タグ１１は郵便物４１の表面に貼り付けられていたが、図５に示すように、ランプ２８の部分が側面から見えるように無線１１が郵便物４１を挟むように貼り付けるようにしても良い。
【００２５】
このようにすることにより郵便物４１を積み重ねた場合でも、ランプ２８を見ることができる。
【００２６】
次に、図６を参照して物品収納ケースについて説明する。図６に示すよう、物品収納ケース６０の底部は階段状に形成されている。そして、各段部に無線タグ１１が貼り付けられた各郵便物４１の無線タグが見えるように重なり合って収納されている。
【００２７】
以上のように、物品収納ケース６０の底部を階段状に形成することにより、郵便物４１を互いに重なるように載置しても、必ず無線タグ１１に設けられているランプ２８を上方から見える位置に配置することができる。
【００２８】
なお、上記実施の形態では、検索用ＩＤが記憶されている無線タグを検索した場合には、無線タグ１１に設けられたランプ２８及びブザー２９を駆動するようにしたが、無線タグリーダ１２にランプ２８及びブザー２９を設けておき、これらを駆動するようにしてもよい。
【００２９】
また、検索用ＩＤは無線タグ１１固有のＲＦＩＤに限らず、登録時に無線タグ１１のユーザエリアに任意のＩＤを記憶させるようにしてもよい。
【図面の簡単な説明】
【００３０】
【図１】本発明の一実施の形態に係る物品検索システムのシステム構成図。
【図２】同実施の形態に係る無線タグの構成を示す図。
【図３】同実施の形態に係る無線タグリーダの構成を示す図。
【図４】同実施の形態に係る無線タグの動作を説明するためのフローチャート。
【図５】本発明の一実施の形態に係る無線タグの取り付け状態を示す図。
【図６】本発明の一実施の形態に係る物品収納ケースの要部を示す断面図。
【符号の説明】
【００３１】
１１…無線タグ、１２…無線タグリーダ、２１…タグアンテナ、２６…制御部、２７…メモリ、３１…制御部、３３…平面アンテナ、５１…パーソナルコンピュータ。
【図１】
2006024018.tif 000003
【図２】
2006024018.tif 000004
【図３】
2006024018.tif 000005
【図４】
2006024018.tif 000006
【図５】
2006024018.tif 000007
【図６】
2006024018.tif 000008